(57)【特許請求の範囲】
【請求項１】
塵埃吸引用の開口部を有すると共に電気掃除機内に装着される口芯と、前記口芯の開口部より吸引された塵埃を捕集する袋状体と、前記口芯の開口部に連通するとともに内部に粒状又は粉状の脱臭剤を収納した収納ケースと、前記収納ケースに設けた前記脱臭剤を排出する排出口を覆う薄板状の部品とを備え、上記薄板状の部品は前記収納ケースの排出口を覆う接着部を有していて、当該接着部を剥がす構成とした電気掃除機用集塵袋。
【請求項２】
薄板状の部品の略上方に取っ手を設けた請求項１に記載の電気掃除機用集塵袋。
【請求項３】
薄板状の部品が途中で複数に分岐し、分岐部分に接着部を持つ請求項１または２に記載の電気掃除機用集塵袋。
【請求項４】
薄板状の部品の分岐した部分に取っ手部と接着部に角度を設け、取っ手部と接着部が同一面上でない請求項１〜３いずれかに記載の電気掃除機用集塵袋。
【請求項５】
薄板状の部品の分岐した部分を折り曲げた、請求項１〜４いずれかに記載の電気掃除機用集塵袋。
【請求項６】
薄板状の部品の分岐した部分の折り曲げ角度を４５°以下の鋭角とした、請求項５に記載の電気掃除機用集塵袋。
【請求項７】
薄板状の部品の折り曲げ方向を接着部側が手前側に向くようにした、請求項１〜６記載の電気掃除機用集塵袋。
【請求項８】
薄板状の部品の折り曲げ部にミシン目を設けた請求項１〜７記載の電気掃除機用集塵袋。
【請求項９】
薄板状の部品の分岐した部分にスリットを残した形状とした請求項１〜８いずれかに記載の電気掃除機用集塵袋。
【請求項１０】
薄板状の部品の分岐部分に略円状のスリットを設けた請求項１〜９いずれかに記載の電気掃除機用集塵袋。
【請求項１１】
請求項１〜１０のいずれか１項に記載の電気掃除機用集塵袋が装着される集塵室と、前記集塵室内に空気を吸引するための電動送風機を備えた電気掃除機。
【発明の詳細な説明】
【技術分野】
【０００１】
本発明は、電気掃除機用集塵袋及び電気掃除機に関するもので、特に、電気掃除機用集塵袋内に堆積した塵埃の脱臭に関したもので、前記集塵袋の使用性を向上させたものである。
【背景技術】
【０００２】
従来の、電気掃除機用集塵袋内に堆積した塵埃の脱臭方法として、紙パックや集塵フィルターに脱臭剤を含浸させて、その脱臭剤によって塵埃から発する臭いを脱臭するようにしたものがある（例えば、特許文献１参照）。
【０００３】
又、電気掃除機の電気掃除機用集塵袋を収納する集塵室内空間に消臭芳香剤を設置したものも提案されている（例えば、特許文献２参照）。
【特許文献１】特開平５−７０８７１号公報
【特許文献２】特許第２８１００９０号公報
【発明の開示】
【発明が解決しようとする課題】
【０００４】
しかしながら、上記特許文献１に記載された従来の脱臭方法では、脱臭剤が紙パックや集塵フィルターの濾材のみに含浸されているだけなので、その濾材と塵埃との接触面積が少なく、かつ、接触時間も瞬間的であるため、十分な脱臭効果が得られない、という課題があった。そのため、上記従来の紙パックや集塵フィルターを装着した電気掃除機を運転した時に、塵埃の種類や蓄積期間によっては、電気掃除機からの排気風に混じって悪臭が発せられ、不快なものであった。
【０００５】
又、特許文献２に記載された構成は、集塵室内空間に消臭芳香剤を設置することで、集塵室内に消臭成分を飛散させて、電気掃除機用集塵袋内の塵埃の消臭を行い、運転時の排気臭を緩和させるようにしたものであるが、消臭芳香剤は、塵埃の臭気に別に香りを混合させて、排気臭を緩和するため、根本的な臭気の除去には至らず、吸引した塵埃の種類によっては、不快な異臭として電気掃除機から排気されるという課題を有していた。
【０００６】
また、前記従来の構成では、多量の塵埃を吸引して、長期に渡って保持できる集塵袋式掃除機では、吸引気流がほぼ全て塵埃中を通過するため、吸塵量の増加に従い、臭気発生量が増加し、集塵袋の許容量に近い状態では、臭気発生が大幅に増加するため、消臭芳香剤の消臭効果では、ほとんど効果が得られないという課題を有していた。
【０００７】
本発明は、前記従来の課題を解決するもので、電気掃除機用集塵袋内の塵埃量や、貯留期間に関係なく、電気掃除機使用時の排気に含まれる塵埃由来の臭気を大幅に低減し、使用勝手の良い電気掃除機用集塵袋及び電気掃除機を提供することを目的とする。
【課題を解決するための手段】
【０００８】
前記従来の課題を解決するために、本発明の電気掃除機用集塵袋は、塵埃吸引用の開口部を有すると共に電気掃除機内に装着される口芯と、前記口芯の開口部より吸引された塵埃を捕集する袋状体と、前記口芯の開口部に連通するとともに内部に粒状又は粉状の脱臭剤を収納した収納ケースと、前記収納ケースに設けた前記脱臭剤を排出する排出口を覆う薄板状の部品とを備え、上記薄板状の部品は前記収納ケースの排出口を覆う接着部を有していて、当該接着部を剥がす構成としたもので、塵埃吸引時の吸引風により、収納ケース内の粒状又は粉状の脱臭剤が収納ケースより排出され、それが、吸引される塵埃と混合して袋状体内に堆積することにより、塵埃と脱臭剤の接触面積が極めて広く、しかも脱臭剤が、電気掃除機用集塵袋が廃棄或いは、袋状体が空にされるまで残っているので、脱臭効果が大きくしかも長時間持続できるので、常に快適に掃除を行うことができる。また、薄板状の部品で排出口が覆われているので、電気掃除機用集塵袋の運搬時に、収納ケースから脱臭剤が漏れ出ることが無いので、電気掃除機用集塵袋の使用時に支障をきたすことが無い。
【０００９】
また、本発明の電気掃除機は、請求項１〜１０のいずれか１項に記載の電気掃除機用集塵袋が装着される集塵室と、前記集塵室内に空気を吸引するための電動送風機を備えたもので、優れた脱臭性能を長期間にわたって発揮し、常に快適に使用することができる。
【発明の効果】
【００１０】
本発明の電気掃除機用集塵袋及び電気掃除機は、塵埃由来の悪臭が排気に含まれるのを大幅に低減し、かつ電気掃除機用集塵袋内の塵埃が許容量に達するまで長期に渡って脱臭効果を維持させることができる。
【発明を実施するための最良の形態】
【００１１】
第１の発明は、塵埃吸引用の開口部を有すると共に電気掃除機内に装着される口芯と、前記口芯の開口部より吸引された塵埃を捕集する袋状体と、前記口芯の開口部に連通するとともに内部に粒状又は粉状の脱臭剤を収納した収納ケースと、前記収納ケースに設けた前記脱臭剤を排出する排出口を覆う薄板状の部品とを備え、上記薄板状の部品は前記収納ケースの排出口を覆う接着部を有していて、当該接着部を剥がす構成としたもので、塵埃吸引時の吸引風により、収納ケース内の粒状又は粉状の脱臭剤が収納ケースより排出され、それが、吸引される塵埃と混合して袋状体内に堆積することにより、塵埃と脱臭剤の接触面積が極めて広く、しかも脱臭剤が、電気掃除機用集塵袋が廃棄或いは、袋状体が空にされるまで残っているので、脱臭効果が大きくしかも長時間持続できるので、常に快適に掃除を行うことができる。
【００１２】
また、薄板状の部品で排出口が覆われているので、電気掃除機用集塵袋の運搬時に、収納ケースから脱臭剤が漏れ出ることが無いので、電気掃除機用集塵袋の使用時に支障をきたすことが無い。集塵袋の使用直前に、排出口覆部の薄板状の接着部を剥すことにより、容易に脱臭剤排出口を開口することができる。
【００１３】
第２の発明は、特に、第１の発明の薄板状の部品の薄板状の略上方に取っ手を設けたもので、略上方に取っ手を設けることで、電気掃除機本体に装着した状態でも排出口を開口することができ、これにより脱臭剤が集塵袋内に確実に吸引され、脱臭剤が電気掃除機内に落下または利用者に付着することなく集塵袋を利用することができる。
【００１４】
第３の発明は、特に、第１又は２の発明の薄板状の部品が途中で複数に分岐したもので、接着部を分岐した部分に設けているので、収納ケースに複数の脱臭剤排出口を持つ場合にも一ヶ所の取っ手部を引き抜くことで複数の排出口を容易に開口することができる。
【００１５】
第４の発明は、特に、第１〜３のいずれか一つの発明の薄板状の部品の取っ手部と接着部に角度を設け、取っ手部と接着部が同一面上で無いことにより、取っ手部の方向を利用者の利便性を高める方向とすることができる。
【００１６】
第５の発明は、特に、第１〜４のいずれか一つの発明の薄板状の部品の分岐した部分に折り曲げ部を設けることにより、取っ手部の方向が確実に定まり、利用者の利便性を高めることができる。
【００１７】
第６の発明は、特に、第１〜４のいずれか一つの発明の薄板状の部品の分岐した部分に折り曲げ部を折り曲げ角度を４５°以下の鋭角としたことにより、接着部の剥し始めの力が少なく容易に剥がすことができる。
【００１８】
第７の発明は、特に、第６の発明の折り曲げ方向を接着部側が手前側に向くようにすることで、接着部を容易に剥すことができる。
【００１９】
第８の発明は、特に、第７の発明の薄板状の部品の折り曲げ部にミシン目を設けたことで、折り曲げ部の目安ができることで、折り曲げ加工が容易になる。
【００２０】
第９の発明は、特に、第１〜８のいずれか一つの発明の薄板の状の部品の分岐した部分にスリットを設けたもので、分岐部分の接着部のいずれかが本来意図した位置から多少異なった場合にでも、分岐した部分の根元にあるスリット部で長さの不均一さを調整することができる。
【００２１】
第１０の発明は、特に、第１〜９のいずれか一つの発明の薄板の状の部品の分岐した部分に略円状のスリットを設けたもので、接着部を剥す際の分岐部分の応力集中を緩和することができ、分岐部分の破れを防止することができる。
【００２２】
第１１の発明は、特に、第１〜１０のいずれか一つの発明の電気掃除機用集塵袋が装着される集塵室と、前記集塵室内に空気を吸引するための電動送風機を備えたもので、優れた脱臭性能を長期間にわたって発揮し、常に快適に使用することができる電気掃除機を提供することができる。
【００２３】
以下、本発明の実施の形態について、図面を参照しながら説明する。なお、この実施の形態によって本発明が限定されるものではない。
【００２４】
（実施の形態１）
図１は、本発明の電気掃除機用集塵袋の分解斜視図で、図２は、同電気掃除機用集塵袋の薄板状の部品の斜視図、図３は、同電気掃除機用集塵袋の収納ケースの断面図、図４は、同電気掃除機用集塵袋の要部断面図、図５は、同電気掃除機用集塵袋を搭載した電気掃除機の全体斜視図である。
【００２５】
図１〜４において、本実施の形態における電気掃除機用集塵袋１（以下“集塵袋１”という）は、塵埃吸引用の開口部２ａを有し、紙材又は樹脂材からなる口芯２と、口芯２の裏面（電気掃除機に装着した時に、吸引風の下流側になる面）に取着されると共に粒状又は粉状の脱臭剤３ａを収納する収納ケース３と、前面に塵埃吸引用の吸引口４ａを有し、紙や布などからなる濾材で袋状に形成された袋状体４から構成されている。本実施の形態では、袋状体４を紙材で形成し、収納ケース３の裏面に接着して取り付けている。
【００２６】
収納ケース３は、開口部３ｂを備え、その開口部３ｂを形成すると共に口芯２の開口部２ａから流入する吸引風の流れと平行な内周面３ｃには、収納ケース３の内部と開口部３ｂとを連通し、内部に収納された脱臭剤３ａが排出される排出口３ｄが設けられている。また、収納ケース３の上端には、収納ケース３内に脱臭剤３ａを投入した後に閉じられる蓋３ｅが設けられている（図は、蓋３ｅを閉じた状態を示している）。
【００２７】
収納ケース３には、運搬時、脱臭剤３ａの洩れを防止する為の薄板状の部品５が、接着部５ｃにより排出口３ｄを覆うようにして設けている。薄板状の部品５はは取っ手部５ｂと接着部５ｃと同一の部品であり、取っ手部５ｂを引くことで、脱臭剤の排出口３ｄを開口することができる。
【００２８】
また、薄板状の部品５の取っ手部５ｂを接着部５ｃの略上方に設けることで、接着部５ｃを剥がすために上方に取っ手部５ｂを移動させることが容易になる。これにより、電気掃除機本体６に集塵袋１を装着した状態においても脱臭剤３ａの排出口３ｄを開口することができる。
【００２９】
なお、上記薄板状の部品５は排出口３ｄを覆う形状のものであればどのようなものであっても良く、例えば排出口３ｄと同数の複数の分岐部分を持つものや、一つ接着部５ｃで複数の排出口３ｄを覆う場合には排出口３ｄの数よりも分岐部分が少なくなる場合がある。また薄板状の部品５において、取っ手部５ｂと接着部５ｃに角度を設けた場合に、取っ手部５ｂの向きは接着部５ｃと同一面上でないため、取っ手部５ｂの位置を自由に決めることができ、利用者の利便性の高い所に取っ手部５ｂを設けることができる。また、角度を設ける手法として薄板状部品５の分岐した部分を折り曲げることにより、確実に予め定めた方向へと取っ手部５ｂを向けることができる。またこの折り目５ａにミシン目を設けることにより、作業者の目印となり容易に折り目加工をすることができる。
【００３０】
集塵袋１の組み立ての際には、言うまでもなく、口芯２の開口部２ａと、収納ケース３の開口部３ｂ及び袋状体４の吸引口４ａが連通するように、それぞれの位置を合致させて取着される。
【００３１】
本実施の形態では、脱臭剤３ａとして、取り扱いの容易なゼオライトを使用している。
【００３２】
上記構成により、集塵袋１の梱包時に、接着部３ｃを有する紙または合成紙等で形成された薄板状の部品５で、収納ケース３に設けた排出口３ｄを覆うようにすることにより、集塵袋１の運搬時に、収納ケース３から脱臭剤３ａが漏れ出ることが無いので、集塵袋の使用時に支障をきたすことが無い。
【００３３】
また、薄板状の部品５は、紙または合成紙で形成しているので、排出口３ｄへの取り付け、取り外しが容易になると共に、接着部３ｃを有するので排出口３ｄの密閉性が向上し、収納ケース３内の脱臭剤３ａの脱臭性能が、集塵袋１の保管時に低下することがない。
【００３４】
なお、上記薄板状の部品５は排出口３ｄを覆う形状のものであればどのようなものであっても良く、強度や耐久性を向上させるには樹脂、金属などを用いても良い。また、排出口３ｄを覆う薄板状の部品５の密閉性を向上させることにより湿気が進入して固形化するのを防止することができ、長期間粒状或いは粉状に維持して確実に供給可能な状態に維持することができる。
【００３５】
次に、本実施の形態における集塵袋１が装着される電気掃除機について、図５を用いて説明する。
【００３６】
電気掃除機本体６（以下”掃除機本体６“という）は、後部に走行用の後輪７が一対、前部に同じく走行用の前輪キャスター８が設けられている。掃除機本体６の前面には、後述の集塵室に連通する吸気口１０が設けられ、この吸気口１０にホース１１の一端に設けた接続パイプ１１ａが接続され、ホース１１の他端には、電気掃除機を使用する際に操作する先端パイプ１１ｂが設けられている。さらに先端パイプ１１ｂは、延長管１２を介して床用吸い込み具１３に接続される。
【００３７】
次に、本実施の形態における集塵袋１を装着した電気掃除機の作用、動作について述べる。
【００３８】
掃除機本体６から導出した電源コード（図示せず）のプラグ（図示せず）を壁コンセント（図示せず）に差し込み、先端パイプ１１ｂに設けたスイッチ１１ｃを操作すると、電動送風機１６の運転が開始し、それによって発生した吸引力が、ホース１１、延長管１２を経て、床用吸い込み具１３の底面に設けた吸い込み口（図示せず）に作用し、周囲の空気と共に、床面の塵埃が吸引される。
【００３９】
床用吸い込み具１３の吸い込み口から流入した空気は吸引風となって、塵埃と共に、延長管１２、ホース１１、吸気口１０を経て、口芯２の開口部２ａ、収納ケース３の開口部３ｂ、袋状体４の吸引口４ａを通って、袋状体４内に流入し、そこで塵埃が捕集され、きれいになった空気が、電動送風機１６を通って、排気口から外部に排出される。
【００４０】
そして、塵埃を含んだ吸引風が、収納ケース３の開口部３ｂを通過する際に、図５に示すように、排出口３ｄを通して収納ケース３内にエゼクター効果による吸引力が作用し、内部に収納された粒状又は紛状の脱臭剤３ａが排出され、その排出された脱臭剤３ａが塵埃と交じり合いながら、袋状体４内に入り奥側（電動送風機１６側）から堆積していく。
【００４１】
このとき塵埃はミクロ的に観察すると、個々の塵埃の外周が粒状或いは粉状の脱臭剤３ａで囲まれたような形となるため、塵埃と脱臭剤３ａとの接触面積は極めて大きなものとなり、かつ、集塵袋１内で、塵埃が脱臭剤３ａで囲まれたような形で保持されるようになる。その結果、脱臭剤３ａの脱臭効果は遺憾なく発揮され、臭気は大幅に低減する。例えば臭気の強い犬・猫の毛を集めたものを吸引させて掃除機本体１からの排気風の臭いを嗅いで見たが、その臭いはほとんど感じない程度に低減されていた。
【００４２】
また、脱臭剤３ａは、集塵袋１が廃棄或いは、袋状体４が空にされるまで塵埃と共に残っているので、脱臭効果が大きくしかも長時間持続できるので、常に快適に掃除を行うことができる。
【００４３】
さらに、脱臭剤３ａはその粒径或いは粉径を、袋状体４の空気が通過する細孔（袋状体４を形成する紙材や布材の繊維間の隙間）より大きく設定してあるから、塵埃と共に吸引された脱臭剤３ａが、袋状体４の細孔を通り抜けることが無く、脱臭剤３ａによる脱臭効果を長期間に渡って維持できる。
【００４４】
また、脱臭剤３ａを形成するゼオライトに疎水性加工を施せば、粒状又は粉状のゼオライトが、集塵袋１の保管時或いは、使用時に周囲の湿気を吸引して団子状になったりすることが無いので、脱臭剤３ａの、収納ケース３の排出口３ｄからの排出性が悪くなり脱臭性能が低下することが無い。
【００４５】
また、収納ケース３を、口芯２の下流側に設けたことにより、収納ケース３を備えていない従来の集塵袋を使用する電気掃除機にも使用できるようになり、互換性に優れ、集塵袋１の製造や在庫管理が簡素化される。
【００４６】
また、口芯２と、収納ケース３と、袋状体４のそれぞれを可燃材料で形成することにより、集塵袋１を廃棄する際、材料分別する必要が無く、一般の燃えるごみとして廃棄できるので、後始末が簡単でしかも衛生的である。
【００４７】
また、可燃材料として、紙材を用いれば、材料コストが安く、また成型用の金型が不要なので、量産性に優れ、トータルコストを大きく低減することができる。
【００４８】
さらに、粒状又は粉状の脱臭剤３ａに帯電防止加工を施せば、集塵袋１の運搬時或いは、集塵袋１を装着した掃除機本体６の移動や使用時に、収納ケース３内の粒状又は粉状の脱臭剤が振動で互いに擦りあっても静電気を帯びないので、互いにくっつきあって、排出口３ｄから出にくくなることが無く、常に優れた脱臭効果を発揮することができる。
【００４９】
また、収納ケース３の、流入する空気の流れと平行な面に排出口３ｄを設けたことにより、収納ケース３内の粒状又は粉状の脱臭剤３ａが、吸引風のエゼクター効果による吸引作用により排出口３ｄから途切れることなく、しかも効率的に排出され、高い脱臭効果を発揮することができる。また、上記エゼクター効果は吸引流速に応じて変化するので、吸引風量が多い（吸塵量が多い）時には多く、吸引風量が少ない（吸塵量が少ない）時には少なくなる。すなわち脱臭剤３ａは、吸塵量に応じて自動的に供給量が変わるので無駄なく且つ効果的に脱臭効果を発揮することになる。
【００５０】
本実施の形態では、袋状体３を収納ケース３の裏面に接着して取り付けたが、口芯２の裏面に接着等で取り付けてもよく、コストや集塵袋の組み立て性を考慮して適宜決められるものである。
【００５１】
又本実施の形態では、袋状体３を紙材で形成したが、布材で形成し、さらに開閉自在の塵埃廃棄用の廃棄口（図示せず）を下流側端部に設け、袋状体３が塵埃で一杯になったら、前記廃棄口を開けて、中の塵埃を捨て、再度使うようにしても良い。この場合は、塵埃の廃棄の都度或いは、数回の塵埃の廃棄ごとに、収納ケース３に脱臭剤３ａを補充する必要があるので、収納ケース３の蓋３ｅを開閉自在にしておき、使用者が必要に応じて脱臭剤３ａを補充できるようにしておくと良い。さらに、収納ケース３を、透明または半透明材料で形成すれば、内部の脱臭剤３ａの残量が容易に外部から見られるので、使用途中で脱臭剤３ａが切れたりすることがなく使用勝手が向上する。
【００５２】
なお、上記のように、収納ケース３を透明または半透明材料で形成すれば、脱臭剤３ａが入っている部分の前後に発光素子（図示せず）と受光素子（図示せず）を対向して設けて、脱臭剤３ａの残量を検知し、少なくなったら、その旨を、音、光、振動等で使用者に報知するようにすれば、さらに使用勝手が良くなるものである。
【００５３】
（実施の形態２）
図６は、本発明の第２の実施の形態における薄板状部品の斜視図、図７は、同電気掃除機用集塵袋の収納ケースの展開図、図８は収納ケースの下面からの断面図、なお、上記第１の実施の形態と同一部分については、同一符号を付してその説明を省略する。
【００５４】
図７は、薄板状の部品５の展開図で、薄板状の部品５は折り曲げ部５ａ、取っ手部５ｂ、スリット部５ｈ、略円状のスリット部５ｉからなっている。図８において薄板状の部品５で収納ケース３に設けた排出口３ｄを覆うことにより、集塵袋１の運搬時に、収納ケース３から脱臭剤３ａが漏れ出ることが無いので、集塵袋の使用時に支障をきたすことが無い。
【００５５】
上記構成において、薄板状の部品５は形状変形が容易である材料の紙又は合成紙等で形成され、排出口３ｄに当接する側の面に排出口３ｄを密閉する接着部５ｃを備え、開口部３ｂ側には薄板状の部品５を取り外す為に指で摘んで引張ることができる取っ手部５ｂを形成している。薄板状の部品５の取って部５ｂを上方に引き抜く場合には、薄板状の部品５と口芯２の接触部５ｆが支点部となり、奥側（電気掃除機に装着した時に、吸引風の下流側）の接着部端部５ｅから必ず外れる。さらに、徐々に上方に引き抜くと、奥側が手前側よりも常に先行して剥がれる。そして接着部端部５ｅを剥がす力は、折り曲げ角度５ｇに依存し折り曲げ角度５ｇが４５°以下の鋭角であれば、剥がし始めの力を小さくすることができる。また、接着部５ｃ側を取っ手部５ｂにおいて、手前側（電気掃除機に装着したときに、吸引風の上流側）の面と同一になるように薄板状の部品５を折り曲げることにより、取っ手部５ｂと接着部５ｃにねじれが生じることなくスムーズに接着部５ｃを剥がすことができる。また折り曲げ部５ａにミシン目を設けることにより作業者の加工がしやすくなる。またスリット部５ｈは、分岐した部分の接着部５ｃが本来意図した位置から多少異なった場合にスリット部５ｉが左右又は前後に開くことで分岐した部分を調整することができ、接着部５ｃに張力が加わることなく集塵袋１の使用前の状態において、収納ケース３内の脱臭剤３ａが漏れにくくなる。略円状のスリット部５ｉは分岐した部分が前後左右のどのような方向であったとしても、略円状のスリット部５ｉによって、薄板状の部品５を引き抜く場合に応力が分岐部分で必ず均一になり、分岐した部分の破れを防ぐことができる。
【００５６】
さらに、薄板状の部品５を、形状変形が容易である材料で形成しているので、排出口３ｄへの取り付け、取り外しが容易になると共に、排出口３ｄの密閉性が向上するので、収納ケース３内の脱臭剤３ａの脱臭性能が、集塵袋１の保管時に低下することがない。さらに、排出口３ｄを覆う薄板状の部品５の密閉性を向上させることにより湿気が進入して固形化するのを防止することができ、長期間粒状或いは粉状に維持して確実に供給可能な状態に維持することができる。
【００５７】
また、上記第１〜２の実施の形態で説明した集塵袋１を電気掃除機に使用することにより、優れた脱臭性能を長期間にわたって発揮し、常に快適に、また楽しく掃除作業を行うことができるものである。
【００５８】
なお、上記実施の形態では、脱臭剤３ａとしてゼオライトを用いたが、吸着剤を用い、塵埃由来の臭気物質である低級脂肪酸類、アンモニア、アルデヒド等様々な臭気に対して吸着効果のある活性炭を用いても良い。
【００５９】
さらに、上記脱臭剤３ａに抗菌剤または芳香剤を混合させることも可能である。抗菌剤の抗菌材料としては、無機系としては、銀系、亜鉛系、銅系、有機系としては、イソチオシアン酸アリル類、カテキン類等を用いるのが、細菌、真菌に対して優れた抗菌効果を発揮し、特に銀系は、少量で高い抗菌効果を発揮する点で特に好ましく、脱臭とともに殺菌作用も得ることができて安全性の向上も図れる。
【００６０】
ところで、長期旅行等により電気掃除機をしばらく放置した後に、掃除を行う際、収納ケース３内の脱臭剤３ａが吸湿により固まって、脱臭剤３ａの排出がスムーズに行われないケースが起こりうる。これを解決するために、収納ケース３に強制的に振動を与える振動手段（図示せず）を設け、この振動手段を、掃除機本体６の運転開始時に動作させるようにしても良い。なお、振動手段は、特に図示しないが、電気で振動する振動素子や、電源コードの引き出し操作或いは、後輪７の回転に機械的に連動して収納ケース３に振動を加える振動体などで形成すると良い。
【００６１】
又、集塵袋１の袋状体４の少なくとも一部に振動を与える振動手段を設けて、その振動手段を定期的或いは、不定期に動作させるようにすれば、袋状体４内の塵埃と脱臭剤３ａが揺すられ、相互間の接触状態が変わり、より効果的に脱臭することができる。
【００６２】
なお、袋状体４に振動を加える振動手段としては、上述の収納ケース３に振動を加える振動手段と同じ構成でも良い。
【産業上の利用可能性】
【００６３】
以上のように、本発明の電気掃除機用集塵袋及び電気掃除機は、塵埃と脱臭剤との接触面積及び接触時間が従来に比べ飛躍的に多くなり、その結果脱臭効果は著しく良好なものとなるもので、電気掃除機に限らず、臭気を発する生ゴミ処理機等各種機器の用途にも適用できる。
【図面の簡単な説明】
【００６４】
【図１】本発明の実施の形態１における電気掃除機用集塵袋の分解斜視図
【図２】同電気掃除機用集塵袋の薄板状の部品の斜視図
【図３】（ａ）同電気掃除機用集塵袋の薄板状部品を取り付けてない収納ケースの断面図（ｂ）薄板状部品を取り付けた収納ケースの断面図
【図４】（ａ）同電気掃除機用集塵袋の排出口が開口状態の要部断面図（ｂ）同電気掃除機用集塵袋の排出口が薄板状の部品で覆われている状態の要部断面図
【図５】同電気掃除機用集塵袋を搭載した電気掃除機の全体斜視図
【図６】本発明の実施の形態２における電気掃除機用集塵袋の収納ケース下方からの斜視図
【図７】（ａ）同電気掃除機用集塵袋の薄板状部品の展開図（ｂ）同電気掃除機用集塵袋の薄板状部品の展開図
【図８】（ａ）同電気掃除機用集塵袋の収納ケースの断面図（ｂ）同電気掃除機用集塵袋の接着部端部が剥がれていない収納ケースの断面図
【符号の説明】
【００６５】
１  電気掃除機用集塵袋（集塵袋）
２  口芯
２ａ  開口部
３  収納ケース
３ａ  脱臭剤
３ｄ  排出口
４  袋状体
５  薄板状の部品
６  電気掃除機本体（掃除機本体）
【図１】
0004631590.tif 000002
【図２】
0004631590.tif 000003
【図３】
0004631590.tif 000004
【図４】
0004631590.tif 000005
【図５】
0004631590.tif 000006
【図６】
0004631590.tif 000007
【図７】
0004631590.tif 000008
【図８】
0004631590.tif 000009